(57)【要約】【課題】筆記具としての機能を有する回転スピナーである筆記具付回転スピナーを提供する。【解決手段】筆記具付回転スピナー１００は、第１の部分２１ａ，２２ａ，２３ａが、ボールベアリング１０の外輪１０ａと一体的になるように形成されている。また、第２の部分２１ｂ，２２ｂ，２３ｂは、蛍光ペンＰが一体的になるように設けられている。蛍光ペンＰが開孔Ｋに嵌め込まれた状態において、第１の部分２１ａと第２の部分２１ｂ、第１の部分２２ａと第２の部分２２ｂ及び第１の部分２３ａと第２の部分２３ｂのそれぞれが、一体的となり回転スピナーとして用いることができ、一方、第１の部分２１ａと第２の部分２１ｂなどが、取り外された状態において、蛍光ペンＰとして用いることができる。【選択図】図１
0003214930.tif 000002
【実用新案登録請求の範囲】
【請求項１】
筆記具の機能を有する筆記具付回転スピナーであって、
ボールベアリングと、
前記ボールベアリングの外輪から放射状に一体的に形成された複数のフレーム部を有するフレームと、
前記ボールベアリングの内輪を軸方向から挟むホールドと、を有し、
前記複数のフレーム部の各フレーム部は、前記ボールベアリングの外輪と一体的に形成された第１の部分と、前記筆記具が一体的になるように設けられた第２の部分と、を有し、
前記第１の部分と前記第２の部分は、着脱自在に形成され、
前記筆記具が嵌め込まれるように、前記第１の部分に開孔が設けられ、
前記筆記具が前記開孔に嵌め込まれた状態で、前記第１の部分と前記第２の部分が一体的になるように構成され、
前記第１の部分と前記第２の部分が取り付けられた状態で回転スピナーとしての機能を有し、
前記第１の部分と前記第２の部分が取り外された状態で筆記具としての機能を有することを特徴とする筆記具付回転スピナー。
【請求項２】
前記筆記具は、蛍光ペンであることを特徴とする請求項１に記載の筆記具付回転スピナー。
【請求項３】
前記複数のフレーム部は、第１のフレーム部、第２のフレーム部及び第３のフレーム部からなり、前記蛍光ペンの色彩は、異なるように構成されていることを特徴とする請求項２に記載の筆記具付回転スピナー。
【請求項４】
前記第２の部分の内部には、発光体が配置されていることを特徴とする請求項１から請求項３のいずれかに記載の筆記具付回転スピナー。
【考案の詳細な説明】
【技術分野】
【０００１】
本考案は、筆記具付回転スピナーに関する。
【背景技術】
【０００２】
ストレス解消などに用いられる玩具としてハンドスピナー、フィジェットスピナーなどと呼ばれているもの（以下回転スピナーという）が普及している。回転スピナーは、手の中に入る大きさであり、例えば、ボールベアリングと、ボールベアリングの外輪から放射状に伸びるように設けられているプラスチック、金属などで形成されているフレームと、ボールベアリングの内輪を軸方向から挟むように設けられているプラスチック、金属などで形成されているホールドを有しており、一方の手の指でホールドを挟み、他方の手の指でフレームを回転させることで一定時間フレームが回り続けるというものである。
【先行技術文献】
【特許文献】
【０００３】
【特許文献１】特開２００５−３１２９８８号公報
【考案の概要】
【考案が解決しようとする課題】
【０００４】
上記の回転スピナーにおいて、より多様性を有するものが求められており、そこで本考案は、このような課題を解決するためになされたもので、筆記具としての機能を有する回転スピナーである筆記具付回転スピナーを提供するものである。
【課題を解決するための手段】
【０００５】
上記課題を解決するために、本考案に係る筆記具付回転スピナーは、筆記具の機能を有する筆記具付回転スピナーであって、ボールベアリングと、前記ボールベアリングの外輪から放射状に一体的に形成された複数のフレーム部を有するフレームと、前記ボールベアリングの内輪を軸方向から挟むホールドと、を有し、前記複数のフレーム部の各フレーム部は、前記ボールベアリングの外輪と一体的に形成された第１の部分と、前記筆記具が一体的になるように設けられた第２の部分と、を有し、前記第１の部分と前記第２の部分は、着脱自在に形成され、前記筆記具が嵌め込まれるように、前記第１の部分に開孔が設けられ、前記筆記具が前記開孔に嵌め込まれた状態で、前記第１の部分と前記第２の部分が一体的になるように構成され、前記第１の部分と前記第２の部分が取り付けられた状態で回転スピナーとしての機能を有し、前記第１の部分と前記第２の部分が取り外された状態で筆記具としての機能を有することを特徴とする。
【０００６】
本考案に係る筆記具付回転スピナーの態様について、前記筆記具は、蛍光ペンであることが好ましい。
【０００７】
本考案に係る筆記具付回転スピナーの態様について、前記複数のフレーム部は、第１のフレーム部、第２のフレーム部及び第３のフレーム部からなり、前記蛍光ペンの色彩は、異なるように構成されていることが好ましく、また、前記第２の部分の内部には、発光体が配置されていることが好ましい。
【考案の効果】
【０００８】
本考案によれば、筆記具としての機能を有する回転スピナーである筆記具付回転スピナーを提供することができる。
【図面の簡単な説明】
【０００９】
【図１】実施形態の筆記具付回転スピナーを示す模式図である。
【図２】筆記具付回転スピナーの一例を示す参考図である。
【考案を実施するための形態】
【００１０】
以下、本考案の実施形態を、図１及び図２を用いて説明する。図１（ａ）は、筆記具付回転スピナー１００の蛍光ペンＰが開孔Ｋに嵌め込まれている状態を示す模式図であり、回転スピナーとしての機能を有するものである。図１（ｂ）は、筆記具付回転スピナー１００の蛍光ペンＰが、筆記具として用いられることができる状態を示す模式図である。また、図２（ａ）は、蛍光ペンＰが開孔Ｋに嵌め込まれている状態を示す実施形態の参考図であり、図２（ｂ）は、蛍光ペンＰが筆記具として用いられる状態を示す実施形態の参考図である。
【００１１】
実施形態の筆記具付回転スピナー１００は、筆記具の機能を有する回転スピナーであり、ボールベアリング１０と、ボールベアリング１０の外輪１０ａから放射状に一体的に形成された複数のフレーム部を有するフレーム２０と、ボールベアリング１０の内輪１０ｂを軸方向から挟むホールド３０を有している。
【００１２】
実施形態において、筆記具付回転スピナー１００に用いられる筆記具は、蛍光ペンＰであり、また、フレーム２０の複数のフレーム部は、第１のフレーム部２１、第２のフレーム部２２及び第３のフレーム部２３で構成されている。これらのフレーム部に設けられている蛍光ペンＰの色彩は、異なるように、例えば、赤色、黄色及び緑色で構成されている。なお、これらは一例であり限定されるものではなく、フレーム部の数、材質、筆記具の種別、色彩などは、適宜最適なものを選択すればよい。
【００１３】
この例において、フレーム２０の構成である第１のフレーム部２１は、第１の部分２１ａと第２の部分２１ｂ、第２のフレーム部２２は、第１の部分２２ａと第２の部分２２ｂ及び第３のフレーム部２３は、第１の部分２３ａと第２の部分２３ｂを有している。
【００１４】
第１の部分２１ａ，２２ａ，２３ａは、ボールベアリング１０の外輪１０ａと一体的になるように形成されている。また、第２の部分２１ｂ，２２ｂ，２３ｂのそれぞれには、蛍光ペンＰが、一体的になるように設けられている。すなわち、第２の部分２１ｂ，２２ｂ，２３ｂのそれぞれは、単独で筆記具として用いることができるように形成されている。なお、この例では、各フレーム部に筆記具が設けられている構成であるが、これに限定されず、例えば、一部に筆記具が設けられている構成であってもよい。
【００１５】
上記の第１の部分２１ａと第２の部分２１ｂ、第１の部分２２ａと第２の部分２２ｂ及び第１の部分２３ａと第２の部分２３ｂのそれぞれは、着脱自在に形成されており、これらを着脱することにより、回転スピナーとしての機能と、筆記具としての機能を有する構成となっている。
【００１６】
すなわち、第１の部分２１ａ，２２ａ，２３ａのそれぞれに、対応する第２の部分２１ｂ，２２ｂ，２３ｂが、取り付けられた状態において、筆記具付回転スピナー１００は、回転スピナーとしての機能を有しており、一方、第２の部分２１ｂが、第１の部分２１ａから取り外された状態においては、第２の部分２１ｂを、蛍光ペンＰとして用いることができ、また、第２の部分２２ｂ及び２３ｂにおいても同様に蛍光ペンＰとして用いることができる。
【００１７】
筆記具付回転スピナー１００は、第１の部分２１ａ，２２ａ，２３ａのそれぞれに、蛍光ペンＰが嵌め込まれるように、開孔Ｋが設けられており、第２の部分２１ｂ，２２ｂ，２３ｂのそれぞれに設けられている蛍光ペンＰは、対応する開孔Ｋに嵌め込まれ固定されるように構成されている。このように構成されていることで、筆記具付回転スピナー１００は、上記の説明の着脱自在なものにすることができる。
【００１８】
上記の構成において、蛍光ペンＰが開孔Ｋに嵌め込まれた状態で、第１の部分２１ａと第２の部分２１ｂ、第１の部分２２ａと第２の部分２２ｂ及び第１の部分２３ａと第２の部分２３ｂのそれぞれが、一体的となり、筆記具付回転スピナー１００は、回転スピナーとして用いることができるようになっている。
【００１９】
一方、第１の部分２１ａと第２の部分２１ｂ、第１の部分２２ａと第２の部分２２ｂ及び第１の部分２３ａと第２の部分２３ｂが、取り外された状態で、筆記具付回転スピナー１００は、蛍光ペンＰとして用いることができるようになっている。
【００２０】
また、他の実用新案として、第２の部分２１ｂ、２２ｂ，２３ｂのそれぞれの内部に発光体の一例であるＬＥＤが、配置されている構成であってもよく、このＬＥＤは、スイッチ操作により、点灯、点滅及び消灯とすることができるようにしてよい。
【００２１】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２２】
また、考案の筆記具付回転スピナーの大きさや形状、素材の厚さ、重さなどについては多様な実施形態が可能であり、それらについて本実施形態と異なる形態による実施は、本考案の技術的範囲に含まれる。
【符号の説明】
【００２３】
１００    筆記具付回転スピナー
１０      ボールベアリング
１０ａ    外輪
１０ｂ    内輪
２０      フレーム
２１      第１のフレーム部
２１ａ    第１の部分
２１ｂ    第２の部分
２２      第２のフレーム部
２２ａ    第１の部分
２２ｂ    第２の部分
２３      第３のフレーム部
２３ａ    第１の部分
２３ｂ    第２の部分
３０      ホールド
Ｐ        蛍光ペン
Ｋ        開孔
【図１】
0003214930.tif 000003
【図２】
0003214930.tif 000004